(57)【要約】【課題】ほめられることにより我々の体は体内活動を活性化できるが、ほめられる機会が少ないため、この能力が十分に発揮されていない。【解決手段】電子装置１００は、検出範囲１４の内側に対象者１２を検出した場合、対象者１２に対してほめ言葉であるメッセージを提供する。対象者１２は電子装置１００に検出されると、ほめられるので、対象者１２の体内における所定の物質の分泌が促される。これにより、対象者の体内活動が活性化する。【選択図】図１
2006068077.tif 000002
【特許請求の範囲】
【請求項１】
対象者の体内活動を活性化するためのメッセージを保持する格納部と、
前記メッセージを前記対象者に提供する提供部と、
を備えることを特徴とする電子装置。
【請求項２】
前記対象者を検出する検出部を更に備え、
前記対象者を検出した場合、前記提供部は前記格納部からメッセージを読み込み、前記対象者に提供することを特徴とする請求項１に記載の電子装置。
【請求項３】
前記対象者が検出されている間、前記提供部は前記メッセージを提供することを特徴とする請求項２に記載の電子装置。
【請求項４】
前記メッセージは、前記対象者の体内における所定の物質の分泌を促すための言葉であることを特徴とする請求項１から３のいずれかに記載の電子装置。
【請求項５】
前記メッセージは、前記対象者をほめるための言葉であることを特徴とする請求項１から４のいずれかに記載の電子装置。
【請求項６】
前記格納部に格納されているメッセージを新たなメッセージを書き換えるための格納処理部を更に備えることを特徴とする請求項１から５のいずれかに記載の電子装置。
【請求項７】
前記格納部は複数のメッセージを保持し、前記提供部は、提供するメッセージがパターン化しないようにメッセージを提供することを特徴とする請求項１から６のいずれかに記載の電子装置。
【請求項８】
前記提供部は、前記対象者を検出した時刻に基づいて、前記対象者に提供するメッセージを絞り込むことを特徴とする請求項７に記載の電子装置。
【請求項９】
前記対象者の反応を検出する第２検出部を更に備え、前記提供部は前記反応に応じたメッセージを提供することを特徴とする請求項１から８のいずれかに記載の電子装置。
【請求項１０】
前記対象者が検出されてから所定の時間が経過した場合、前記提供部は前記メッセージの提供を始めることを特徴とする請求項２から９のいずれかに記載の電子装置。
【請求項１１】
対象者の外観に関するメッセージを格納する格納部と、
前記対象者が、自らの外観を確認できる状態にあるか否かを検出する検出部と、
前記対象者が自らの外観を確認できる状態にある場合、前記対象者に前記メッセージを提供する提供部と、
を備えることを特徴とする電子装置。
【請求項１２】
前記検出部は、前記対象者を映し出す手段に前記対象者が映し出される領域の中に前記対象者が存在するか否かを検出することを特徴とする請求項１１に記載の電子装置。
【請求項１３】
前記提供部は、時刻に基づいて前記格納部に格納されているメッセージの中から、前記対象者に提供するメッセージを選択することを特徴とする請求項１１または１２に記載の電子装置。
【請求項１４】
前記格納部は、所定のグループに分けてメッセージを格納し、前記提供部は予め設定されたグループに属するメッセージを前記対象者に提供することを特徴とする請求項１１から１３のいずれかに記載の電子装置。
【請求項１５】
前記格納部は着脱可能に形成されることを特徴とする請求項１１から１４のいずれかに記載の電子装置。
【請求項１６】
前記格納部に格納されているメッセージを新たなメッセージに書き換えるための格納処理部を更に備えることを特徴とする請求項１１から１５のいずれかに記載の電子装置。
【請求項１７】
前記対象者を映し出す手段を更に備えることを特徴とする請求項１２から１６のいずれかに記載の電子装置。
【発明の詳細な説明】
【技術分野】
【０００１】
この発明は人の体内活動を支援する装置に関する。
【背景技術】
【０００２】
人の運動能力を向上させる薬品、人の肌を美しくする薬品などがある。運動能力を向上させたいとき、肌を美しくしたいときには、その目的に応じた薬品を適宜摂取して、体内に必要な物質を強制的に補うことが一般に行われている（特許文献１）。
【特許文献１】再表０２／００４０１６号公報
【発明の開示】
【発明が解決しようとする課題】
【０００３】
薬品による効果を持続するためには、薬品を適切に摂取し続ける必要がある。
本発明は上記課題に鑑みてなされたものであり、その目的は、薬品を摂取させることなく体内活動を支援するための技術を提供することにある。
【課題を解決するための手段】
【０００４】
本発明のある態様は、人の体内活動を活性化させる装置である。この装置は、対象者の体内活動を活性化するためのメッセージを保持する格納部と、前記メッセージを前記対象者に提供する提供部とを備える。これにより、対象者の体内活動を活性化させるメッセージを提供することができる。「体内活動」は、肉体的な活動であってもよいし、精神的な活動であってもよい。メッセージが提供されることにより影響される体内における一切の活動であってよい。
【０００５】
この装置は、メッセージを提供するタイミングを調整する手段を備えてもよい。これにより、メッセージを効果的に提供できる。また、この装置は、対象者が飽きを感じないように複数のメッセージから提供するメッセージを選択する手段を備えてもよい。これにより、限られた数のメッセージを対象者に飽きを感じさせないように効率的に利用できる。この装置は、新たなメッセージを書き換える手段を備えてもよい。これにより、メッセージの鮮度を保つことができる。
【０００６】
本発明の別の態様は、人の体内活動を活性化させる装置である。この装置は、対象者の外観に関するメッセージを格納する格納部と、前記対象者が、自らの外観を確認できる状態にあるか否かを検出する検出部と、前記対象者が自らの外観を確認できる状態にある場合、前記対象者に前記メッセージを提供する提供部とを備える。これにより、人の状態と提供されるメッセージの内容とが一致するのでメッセージによる効果が大きくなる。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、ほめることで人の体内活動を活性化させることができる。
【発明を実施するための最良の形態】
【０００９】
<第１の実施の形態>
実施の形態に係る装置は、人をほめることで、人の体内活動を支援する。一般に人は、ほめられるとうれしいと感じる。ほめられることは、人に、心理的な作用と、肉体的な作用をもたらす。例えば、心理的な作用としては、自信を持ったり、頑張ろうという気持ちになったり、明るい気持ちになったり、気持ちをポジティブにすることがあげられる。肉体的な作用としては、運動能力が高まったり、肌が美しくなったり、肉体を好ましい方向に改善することがあげられる。
【００１０】
ほめられることで、例えば運動能力が高まったり、肌が美しくなったりするが、このメカニズムには体内物質が深く関わっている。例えば、運動能力を高める「甲状腺刺激ホルモン放出ホルモン」は、ほめられることで脳下垂体から盛んに分泌される。この物質は、脳に覚醒作用を及ぼし、温感、ふるえ、血圧上昇、頻脈、発汗などの生理作用を引き起こして体内活動を活発化させる。この結果、運動能力が高まる。
【００１１】
肌を美しくする「β−エンドルフィン」は、甲状腺刺激ホルモン放出ホルモンと同じように、ほめられることで脳下垂体から盛んに分泌される。この物質はモルヒネの１０倍の沈痛作用があり、身体的ストレスを速やかに解消する。これにより、脳が快感を感じ、その興奮が自律神経から心臓に伝達され、鼓動が高まり、血行が促進される。すなわち、肌の新陳代謝がより活発になるので、肌が美しくなる。
【００１２】
こうした人本来の能力は、日常生活で人からほめられる機会が多ければ十分に発揮される。しかしながら、現代の社会生活を考えると、例えば一人暮らし、家族の生活リズムの違いなど種々の原因によりほめられる機会が少なくなっていることが現状である。本発明者は、こうした社会の現状と人本来の能力とに着目してこれから説明する装置を創出した。これから説明する実施の形態に係る装置によれば、人体の特徴を利用して、薬品を摂取することなく、人の体内活動を活性化できる。
【００１３】
図１は、実施の形態に係る電子装置１００を説明するための図である。電子装置１００は、取付部１２２を介して鏡１０に取り付けられる。そして、対象者１２を検出した場合、電子装置１００は対象者１２をほめるためのメッセージ（以下、単に「メッセージ」という）を対象者１２に提供する。メッセージは、「きれいだ」のような直接的に人をほめる言葉であってもよいし、比喩を使って「あなたは花のようだ」のように間接的に人をほめる言葉であってもよい。要は、対象者１２がほめられていると感じる言葉、言葉の連なり、画像、音楽などの表現物であり、音としてスピーカから提供されてもよいし、液晶パネルなどの表示部に表示されてもよい。また、振動や香りなどでもよく、ほめられていることを五感により認識できればよい。
【００１４】
本実施の形態では、対象者１２が鏡１０を使っているときに、電子装置１００はメッセージを提供する。このため、電子装置１００は、少なくとも対象者１２が鏡１０に映る範囲であって、対象者１２がメッセージを認識できる範囲を検出範囲１４とする。そして、対象者１２が検出範囲１４の内側に存在する場合に、電子装置１００はメッセージを提供する。メッセージの内容は、鏡１０を使っているとき、すなわち対象者１２が自らの外観を確認しているときなので、例えば「きれいだね」、「目がきれいだ」など外観に関するほめ言葉であることが好ましい。例えば対象者１２が化粧をしているときに、ほめられるので、対象者１２はうれしいと感じ、体内活動が活性化するとともに、暗示的な効果も期待できる。
【００１５】
図２は、図１の電子装置１００の内部構成図である。メッセージ格納部１０２は、メッセージを保持する。第１検出部１０６は、メッセージの提供を開始するための契機となる信号（以下、単に「検出信号」という）を提供部１０４に供給する。提供部１０４は、その検出信号を契機としてメッセージ格納部１０２からメッセージを読み込み、スピーカ１１２および表示部１１４の少なくとも一方の出力手段を介してメッセージを提供する。これにより、対象者１２がほめられていると感じるメッセージを提供できるので、メッセージが対象者１２の体内に及ぼす作用により、対象者１２の体内物質の分泌を促し、体内活動を活性化させることができる。
【００１６】
第１検出部１０６は、例えば赤外線センサ、超音波センサ、カメラなどの非接触で対象者１２の存在を検出可能なデバイスであってもよいし、タッチセンサなどの接触型のデバイスであってもよい。また、これらのデバイスを組み合わせて、図１の検出範囲１４に対象者１２が存在するか否かを検出し、検出結果を検出信号として出力してもよい。第１検出部１０６は、検出信号を提供部１０４に出力すればよく、例えば電子装置１００に対象者１２が触れると検出信号を提供部１０４に出力するように、第１検出部１０６は形成されてもよい。
【００１７】
本実施の形態の場合、第１検出部１０６は非接触型のデバイスであり、電子装置１００の取り付け位置に応じて検出範囲１４を調整できるように調整手段（図示せず）を有する。調整手段は、例えば検出デバイスの取り付け角度を物理的に調整してもよいし、計算処理などにより調整してもよい。これにより、任意の位置に電子装置１００を取り付けることができる。
【００１８】
第１検出部１０６が出力する検出信号は、例えば対象者１２を検出した場合に「ハイ」になり、検出できない場合に「ロー」になる。提供部１０４は、検出信号がローからハイに変わったタイミングをメッセージを提供するための一連の処理を開始するトリガとする。対象者１２が所定の期間にわたり検出範囲１４に存在している場合、提供部１０４はメッセージの提供を始める。提供部１０４は、検出信号がローからハイに変わったタイミングで計時を開始し、検出信号がハイの間、計時を続ける。そして、所定の時間が経過した場合、メッセージの提供を始める。このメッセージの提供を始めるタイミングを「提供タイミング」という。これにより、対象者１２を検出したら即座にメッセージを提供するのではなく、対象者１２がメッセージを聞くのにふさわしい状態のときにメッセージを提供できる。これにより、例えば対象者１２が鏡１０の前を通り過ぎた場合や、鏡台に置いてある物を取りに来た場合など一時的に検出範囲１４に存在する場合にはメッセージは提供されない。以下、第１検出部１０６が対象者１２を検出している期間を「存在期間」という。
【００１９】
こうしたメッセージを提供するタイミングへの配慮は、メッセージを提供することにより効率的に体内活動を活性化させるために大切である。例えば、対象者１２が鏡１０の前を通り過ぎるたびにメッセージを提供していたら、慢性化して対象者１２はそのメッセージを耳にしてもほめられているという感覚にならなくなってしまう。
【００２０】
一般に人は、ほめられる前にほめられることを意識する。ほめられることを意識しているときにほめられれば、素直にうれしいと感じることができるが、ほめられることを意識していないときに唐突にほめられると素直にうれしいと感じることができない。なぜほめられたのかを考えてしまう。こうしたことから、単に対象者１２を検出したタイミングでメッセージを提供するのではなく、対象者１２がほめられることをある程度意識できる状態のときにメッセージを提供することが好ましい。
【００２１】
対象者１２が、電子装置１００によりほめられる状態を意識できるように、メッセージが提供される条件、すなわちどういう状態のときにメッセージが提供されるのかを予め知らせてもよい。例えば、電子装置１００を販売する際のパッケージに記載してもよいし、電子装置１００の取り付け位置や使用方法を記載してもよい。これにより、対象者１２は、ほめられることをある程度意識できるとともに、ほめられることを期待する。こうした対象者１２の心理状態が、ほめられることによる心身の効果をよりよくする。
【００２２】
本実施の形態では、対象者１２が化粧や整髪のために鏡１０を使っているときに、電子装置１００はメッセージを提供する。このため、鏡１０を使っているときにほめられるということを、例えば販売時のパッケージや取扱説明書に記載することで予め対象者１２に知らせておく。一般に、鏡１０を使っているときには、自らの外観を意識し、外観についてほめられたい、自信がつくような言葉を言って欲しいという欲求が生じる。電子装置１００はこのタイミングに合わせてメッセージを提供する。
【００２３】
図３は、図２の提供部１０４の詳細な内部構成図である。判断部１５０は、第１検出部１０６から対象者１２を検出したことを示す検出信号を受け付けると、タイマ１５６に計時を開始することを指示する。判断部１５０はタイマ１５６により計時されている対象者１２の存在期間に基づいて対象者１２の状態を判断する。そして、判断部１５０は、判断結果を選択部１５２に供給する。一般に化粧や整髪を行うためには比較的長い時間が必要になるので、必然的に存在期間が長くなる。鏡１０の前を通り過ぎたり、鏡台に置いてある物を取りに来たときには存在期間は化粧や整髪のときより短くなる。こうした対象者１２の状態における時間的な特徴に基づいて、対象者１２の状態を推定できる。
【００２４】
本実施の形態では、存在期間が提供タイミングより長くなった場合、判断部１５０は、対象者１２がメッセージを提供すべき状態であると判断する。また、存在期間が提供タイミングより短い場合、判断部１５０は、対象者１２がメッセージを提供すべき状態でないと判断する。この提供タイミングは、実験結果を統計的に分析することにより算出され、デフォルト値として図２の条件格納部１１０に保持される。化粧や整髪にかかる時間は人によりばらつきがある。そこで、対象者１２ごとに提供タイミングを設定できるように、図２の設定部１１６が設けられている。
【００２５】
図２の設定部１１６は、対象者１２から提供タイミングを受け付け、条件格納部１１０に保持されている提供タイミングを書き換える。これにより、対象者１２に適したタイミングで電子装置１００はメッセージを提供できる。また、設定部１１６は、対象者１２ごとに存在期間の統計をとり、例えば統計値の隔たり等、統計上の特徴に基づいて提供タイミングを適宜算出してもよい。これにより、設定部１１６は、対象者１２の鏡１０の使い方を学習し、それに応じて最適な提供タイミングを自動的に設定できる。
【００２６】
選択部１５２は、判断部１５０から供給された判断結果に基づいて、対象者１２の状態に応じたメッセージを提供部１０４から選択する。そして、選択部１５２は選択したメッセージをメッセージ格納部１０２から読み込み、出力処理部１５４に出力する。出力処理部１５４は、メッセージのデータ形式に応じてデコードを行い、図２のスピーカ１１２または表示部１１４に出力する。
【００２７】
対象者１２の体内活動を効率的に活性化させるためには、対象者１２が飽きないように提供部１０４はメッセージを提供することが好ましい。そのため、例えば、選択部１５２は、ランダムにメッセージを選択してもよいし、図２の時計１０８から供給される時刻に基づいて、時刻毎に対応づけられたメッセージを選択してもよいし、存在期間に基づいてメッセージを選択してもよい。選択部１５２は、同一のメッセージを繰り返して選択したり、特定のメッセージだけを頻繁に選択したりしないように動作する。要は、選択部１５２は、対象者１２に提供するメッセージがパターン化しないように、変化のある選択処理を行う。これにより、対象者１２に飽きを感じにくくさせるとともに、メッセージ格納部１０２に保持されているメッセージを有効に活用することができる。
【００２８】
例えば目、口など特定の部位を集中的にほめられたいという要求も考えられる。そこで、選択部１５２は、例えば目や口など特定の部位に関するメッセージだけを選択してもよい。図２の設定部１１６は、対象者１２から集中的にほめられたい事柄を受け付け、その情報を提供条件として条件格納部１１０に格納する。そして、選択部１５２は、提供条件に適合するメッセージをメッセージ格納部１０２から選択して提供する。例えば、メッセージ格納部１０２は、人の顔を形作る例えば目や口などのパーツに対応づけてメッセージを保持する。条件格納部１１０は、対象者１２に設定されたほめられたい顔のパーツの情報を提供条件として保持する。そして、選択部１５２は、提供条件で設定されているパーツに対応づけられたメッセージを選択する。
【００２９】
汎用的に表現すると、メッセージ格納部１０２は、例えば顔の各パーツに関するメッセージをそれぞれグループに分けて保持する。設定部１１６は、対象者１２からグループを受け付け、条件格納部１１０に格納する。そして、選択部１５２は条件格納部１１０に保持されたグループに関する情報を参照することにより、ユーザに指定されたグループに属するメッセージを選択できる。これにより、電子装置１００は、対象者１２がほめられたい事柄に対するほめ言葉を集中的に提供できる。
【００３０】
電子装置１００は、集中的にほめられたい箇所を対象者１２から受け付けるために、例えば目、口、鼻といった部位毎にボタンを有し、対象者１２がいずれかのボタンを押すと、そのボタンに対応づけられたメッセージを提供してもよい。これにより、操作性が向上し、対象者１２のそのときの気分で、容易にほめられたい箇所を指定できる。
【００３１】
<第２の実施の形態>
図４は、第２の実施の形態に係る電子装置１００の内部構成図である。本図で、既に説明した構成と同一の機能を有する構成には同一の符号を付してある。これから、既に説明した構成と異なる機能を有する構成について説明する。
【００３２】
格納処理部１２４は、電子装置１００の外部からメッセージを取り込み、メッセージ格納部１０２に格納する。格納処理部１２４は、例えばネットワーク３０を介してサーバ３２からメッセージを取得して、メッセージ格納部１０２に格納してもよいし、磁気ディスクなどの持ち運び可能な記録媒体３４からメッセージを読み込んで、メッセージ格納部１０２に格納してもよい。これにより、定期的もしくは不定期的にメッセージを書き換えることができるので、メッセージの新鮮さを保ち、対象者１２に飽きを感じさせない。また、電子装置１００の永続的な利用を可能にする。
【００３３】
メッセージの更新を可能にするという観点から、他の形態では、メッセージ格納部１０２を例えばメモリカードなどの着脱可能な記憶媒体で形成してもよい。新たなメッセージの取り込みは、例えば、パーソナルコンピュータや携帯電話などの電子装置１００とは異なる装置を使って行う。そして、取り込んだメッセージは、それらの装置を使って、着脱したメッセージ格納部１０２に直接書き込まれる。これにより、電子装置１００にメッセージを取得するための構成を設けるより、シンプルな構成にできる。
【００３４】
<第３の実施の形態>
図５は、第３の実施の形態に係る電子装置１００の内部構成図である。本図で、既に説明した構成と同一の機能を有する構成には同一の符号を付してある。これから、既に説明した構成と異なる機能を有する構成について説明する。
【００３５】
第２検出部１２０は、対象者１２からの指示や肉体的な変化を検出すると、その旨を提供部１０４に供給する。提供部１０４は、第２検出部１２０が検出した対象者１２の指示や肉体的な変化に応じてメッセージを提供してもよい。これにより、双方向性が得られ、一方的にほめ言葉を提供するよりも、高い効果が期待できる。
【００３６】
第２検出部１２０は、例えばマイク、ボタン、加速度センサなどのデバイスを有し、対象者１２からの指示を検出してもよいし、対象者１２の脈拍、血圧、血色などの肉体的な変化を検出可能なデバイスを有し、メッセージを提供した事による肉体的な変化を検出してもよい。例えば、第２検出部１２０は音声認識機能を備え、対象者１２が「鏡よ鏡よ鏡さん、この世で一番美しい人はだーれ」というと、第２検出部１２０がそれを認識し、提供部１０４がメッセージを提供してもよい。こうすることで、娯楽性が増し玩具としても利用できる。
【００３７】
肉体的な変化に基づいてメッセージを提供する場合、提供部１０４は、肉体的な変化の程度に応じてメッセージを選択してもよい。例えば、血圧の変化量に応じて、メッセージを提供することが考えられる。この場合、メッセージ格納部１０２は、血圧の変化量に対応づけてメッセージを保持する。第２検出部１２０は対象者１２の血圧を検出する。そして、提供部１０４は、血圧が高くなるにつれて、つまり最初の血圧からの変化量が大きくなるにつれて、徐々に刺激的な内容のメッセージを提供するようにしてもよい。
【００３８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。こうした変形例として以下のものがある。
【００３９】
第１の変形例は、電子装置１００の組み込みに関することである。実施の形態では、電子装置１００を単独の装置として記載したが、鏡などの対象者を映し出す手段を有する家具、玩具、電器製品などに組み込んでもよい。
【００４０】
第２の変形例は、電子装置１００の利用に関することである。実施の形態では、対象者１２が鏡１０を使っているときにメッセージを提供することを記載したが、メッセージを提供する条件はこれに限定しない。例えば、玄関に配置し、人が出入りするときに、適切なメッセージを提供してもよいし、体育館などで運動中の人に対してメッセージを提供するようにしてもよい。こうした場合、メッセージを提供する際の人の状態を適切に検出し、適切なタイミングでメッセージを提供できるように、提供タイミングや第１検出部１０６における検出デバイスを決めればよい。
【図面の簡単な説明】
【００４１】
【図１】実施の形態に係る電子装置を説明するための図である。
【図２】図１の電子装置の内部構成図である。
【図３】図２の提供部の詳細な内部構成図である。
【図４】第２の実施の形態に係る電子装置の内部構成図である。
【図５】第３の実施の形態に係る電子装置の内部構成図である。
【符号の説明】
【００４２】
１０  鏡、１２  対象者、１４  検出範囲、１００  電子装置、１０２  メッセージ格納部、１０４  提供部、１０６  第１検出部、１０８  時計、１１０  条件格納部、１１２  スピーカ、１１４  表示部、１１６  設定部、１２０  第２検出部、１２２  取付部、１２４  格納処理部。
【図１】
2006068077.tif 000003
【図２】
2006068077.tif 000004
【図３】
2006068077.tif 000005
【図４】
2006068077.tif 000006
【図５】
2006068077.tif 000007